(57)【要約】【課題】電気機器収納用ラック内へのブランクパネルの取り付けに際し、ネジやナット等の固定部材を用いることなく、簡単に着脱ができ、地震の振動などによる予期しない力が加わったときでも、簡単には抜け落ちないブランクパネル。【解決手段】ラック本体の電気機器を搭載する箇所を覆うパネル部と、前記パネル部のラック本体内側面あり、マウントアングルにあるネジ孔に嵌合する固定部と、前記マウントアングルの端部を押圧するばね部と、を有するブランクパネル。【選択図】図１
2019062015.tif 000002
【特許請求の範囲】
【請求項１】
ラック本体の電気機器を搭載する箇所を覆うパネル部と、
前記パネル部のラック本体内側面あり、マウントアングルにあるネジ孔に挿入された固定部と、
前記パネル部の対向する２辺にそれぞれ設けられ、前記ラック本体の対向する２つの内側面を押圧するばね部と、を有するブランクパネル。
【請求項２】
前記ばね部は、ラック本体の内側面に設けられたマウントアングルの端部を押圧するものである請求項１に記載のブランクパネル。
【請求項３】
前記ばね部は、弾性部材と、
前記マウントアングルの端部を押圧する押圧部と、
を有する請求項１に記載のブランクパネル。
【請求項４】
前記ばね部と、マウントアングル挿入された前記固定部によって、マウントアングルが挟持されている請求項３に記載のブランクパネル。
【発明の詳細な説明】
【技術分野】
【０００１】
本発明は、電気機器を搭載するラック本体に、電気機器が搭載されてない箇所に取り付けられるブランクパネルに関する。
【背景技術】
【０００２】
放送局などの放送設備に於いて、電気機器は、19インチEIA規格の電気機器収納用ラックが使用されている。しかし、このラック本体に、電気機器を搭載しない場合、その箇所には、ブランクパネルが実装されることなる。また、搭載される電気機器によっては、放熱が必要な場合あり、その個所には、ブランクパネルに代えて放熱パネルが実装される。図５には、平面視したブランクパネルの一方の端の部分を示している。ブランクパネルの一方の端には、２つの固定用孔１０が開けられている。図示していないが、他方の端にも同様に２つの固定用孔１０が開けられており、ブランクパネルを実装する際、電気機器収納用ラックに装着されているマウントアングルのネジ孔に、固定用孔１０を介してネジで４か所を固定することになる。
【０００３】
しかし、メンテナンスの際、作業内容によっては、ブランクパネルを取り外す必要があり、ブランクパネルが多数ある場合には、ネジの取り外し作業にかなりの時間が必要となる。また、ネジの紛失、破損等が生じる恐れがある。
【０００４】
これに対し、ブランクパネルに、マウントアングルの機器取付孔に挿入させる取付突部を形成し、取付突部の先端側に、機器取付孔よりも幅広の張出部を設けて、抜け落ちを防止することが考えられている。
【先行技術文献】
【特許文献】
【０００５】
【特許文献１】特開２０１５−１０３６５１号公報
【発明の概要】
【発明が解決しようとする課題】
【０００６】
しかし、上記の対応によって、ネジを無くすことができるが、メンテナンスを考慮するとブランクパネルを着脱自在にする必要がある。従って、張出部も機器取付孔よりそれほど大きく張り出すことは出来ないため、地震などの予期しない振動が加わった際、抜け落ちてしまう可能性がある。
【０００７】
本発明の目的は、上記課題を解決し、電気機器収納用ラック内へのブランクパネルの取り付けに際し、ネジやナット等の固定部材を用いることなく、簡単に着脱ができ、地震の振動などによる予期しない力が加わったときでも、簡単には抜け落ちないブランクパネルを提供することにある。
【課題を解決するための手段】
【０００８】
上記課題を解決するためになされた発明のブランクパネルは、
ラック本体の電気機器を搭載する箇所を覆うパネル部と、
前記パネル部のラック本体内側面あり、マウントアングルにあるネジ孔に挿入された固定部と、
前記パネル部の対向する２辺にそれぞれ設けられ、前記ラック本体の対向する２つの内側面を押圧するばね部と、
を有する。
【０００９】
本発明において、以下のような構成を採用することもできる。
（１）前記ばね部は、ラック本体の内側面に設けられたマウントアングルの端部を押圧するものである。
（２）前記ばね部は、弾性部材と、前記マウントアングルの端部を押圧する押圧部と、
を有する。
（３）前記ばね部と、マウントアングル挿入された前記固定部によって、マウントアングルが挟持されている。
【発明の効果】
【００１０】
本発明によれば、電気機器収納用ラック内へのブランクパネルの取り付けに際し、ネジやナット等の固定部材を用いることなく、簡単に着脱ができ、地震の振動などによる予期しない力が加わったときでも、簡単には抜け落ちないブランクパネルを提供することができる。
【図面の簡単な説明】
【００１１】
【図１】本発明の第１実施形態のブランクパネルのラック本体内側面の要部拡大図。
【図２】図１のブランクパネルのラック本体内側面の要部拡大図に対する側面視した    図及びラック本体の対応する箇所の端面図。
【図３】図２でのブランクパネルのラック本体への取り付け図。
【図４】本発明の第２実施形態のブランクパネルのラック本体内側面の要部拡大図に    対する側面視した図。
【図５】従来のブランクパネルの平面視した要部拡大図
【発明を実施するための形態】
【００１２】
以下、本発明の実施形態を図１乃至図３に従って具体的に説明する。ただし、図に記載したパーツの縮尺は、説明を分かりやすくするため、実際のものとは異なっている。
【００１３】
ブランクパネル１は、板状のパネル部２、固定用ピン３、ばね部４から構成されている。
【００１４】
板状のパネル部２は、本来のブランクパネルの役割をするパネルであり、ブランクパネル１を電気機器収納用ラックに設置した際に、電気機器が搭載されていない空間をラック本体９の前面から覆うためのものである。
【００１５】
固定用ビン３は、パネル部２のラック本体９に対する位置決めをするためのものであり、ラック本体９にブランクパネル１を搭載した際に、パネル部２のラック本体９の内側になる面に、マウントアングルにあるネジ孔８に対応した位置に、パネル部２の片側の端に２か所、図示していないが、合計で４か所に設けられている。
【００１６】
固定用ピン３は、本実施形態では、４か所に設けたが、マウントアングルのネジ孔８に応じて、固定用ピン３を設ければよく、ラック本体９上側の２か所若しくは、互い違いになるように２か所に設けても良いし、マウントアングルのネジ孔８が両端に、例えばブランクパネルの幅方向中央部に１か所づつある場合は、それに応じて１か所づつ設ければよい。
【００１７】
固定用ピン３の長さは、ブランクパネル１を搭載した際、マウントアングルにあるネジ孔８を突き抜ける長さであればよい。固定用ピン３の太さは、マウントアングルのネジ孔８とほぼ同等が良いが、細くても良い。固定用ピン３の材質は、金属でも良いし、樹脂であっても良い。さらに、固定用ピン３は、先端部分にマウントアングルのネジ孔８よりも幅広の張出部を設けてもよい。
【００１８】
ばね部４は、弾性部５と押圧部６を有している。図２は、ブランクパネル１の端部にある要部を拡大し、側面視した図とラック本体の対応する箇所の端面図を示しており、図３は、図２におけるブランクパネル１のラック本体９への取り付け図を示している。ブランクパネル１をラック本体９に搭載した際、マウントアングルの端部７を押圧部６に当接し、弾性部５の復元力によって、マウントアングルの端部７をラック本体９の外側、つまり、弾性部５が圧縮され、ばね部４から固定用ピン３に向う方向に押圧して、ブランクパネル１をラック本体に固定している。従って、押圧部６の位置は、ブランクパネル１を装着した際のマウントアングルの端部７位置よりも、ラック本体９の外側に位置するようにばね部４をパネル部２に固定している。すなわち、ばね部４は、ばねが伸びた状態において、２つのばね部４の押圧部６の間隔がラック本体９両側のマウントアングルの端部７の間隔よりも狭くなっている。
【００１９】
ばね部４は、図１のように固定用ピン３に対して片側２つ、図示しないが、それぞれで合計４つ設けられている。なお、本実施形態では、４か所に設けたが、固定用ピン３に応じて、ばね部４を設ければよく、ラック本体９上側の２か所若しくは、互い違いになるように２か所に設けても良いし、固定用ピン３が両端に１か所づつある場合は、それに応じて１か所づつ設ければよい。すなわち、ばね部４は、少なくとも、パネル部２の対向する２辺にそれぞれ設けられ、ラック本体９の対向する２つの内側面を押圧する。
【００２０】
弾性部５は、図１に示したように板バネでも良いが、図４に示したように弦巻ばね５´でも良く、マウントアングルが押圧できれば、どのような弾性部材で構成されていても良い。
【００２１】
以上のような構成にすることで、ブランクパネル１の２つのばね部４によって、ラック本体９の両側に設けられたマウントアングルを電気機器収納用ラックの外側に押圧する。その結果、ブランクパネル１が設置された際、しっかりとした固定が出来、地震の振動などによる予期しない力によって外れることはない。また、固定用ピン６をマウントアングルのネジ孔に挿入することで、ブランクパネル１の正確な位置決めが行うことができる。
【００２２】
また、取り外す際も、簡単に取り外すことができる。なお、ブランクパネル１を取り外す際にラック本体９の前側に引っ張り出せるように、ブランクパネル１の表面に取っ手や摘みを設けることができる。この取っ手や摘みとして、ブランクパネル１に設ける固定用ピン３の頭部をブランクパネル１の表面から突出させておいても良い。固定用ピンを装着できるようにし、取り外しをしても良い。ピンの装着には、ネジ孔を設けても良いし、吸着盤のようなものでも良い。
【００２３】
本発明は前記の説明に限定されるものではなく、例えば、次のような態様も包含する。
（１）図示のように固定用ピン３や押圧部６の先端に傾斜を設けておくことにより、ブランクパネル１をはめ込んだ場合に、固定用ピン３が円滑にネジ孔に挿入されたり、ばね部４がマウントアングルの端部７に引っ掛かることなく円滑に圧縮されるようにする。
（２）固定用ピン３などの固定部と、ばね部４の押圧部６との間隔を、マウントアングルのネジ孔の縁とマウントアングルの端部７との間隔よりも狭くしておくことにより、マウントアングルが固定部と押圧部６とによって挟持され、両者の摩擦的係合度合いが強くなり、耐振動性がより向上する。
（３）固定部は、固定用ピン３に限定されず、ブランクパネル１の一部を切り起こして突起を設けたり、他の手法によって構成することもできる。
【符号の説明】
【００２４】
１…ブランクパネル
２…パネル部
３…固定用ピン
４…ばね部
５、５´…弾性部
６、６´…押圧部
７…マウントアングルの端部
８…マウントアングルのネジ孔
９…ラック本体
１０…固定用孔
【図１】
2019062015.tif 000003
【図２】
2019062015.tif 000004
【図３】
2019062015.tif 000005
【図４】
2019062015.tif 000006
【図５】
2019062015.tif 000007